(57)【要約】本発明は，容器に収めたパッケージ製品を遠隔地から認証するための認証方法及び認証システムを提供する。この認証方法は：各パッケージ製品につき，所定のアルゴリズムに基づいて固有認証要素（8, 15, 19, 23）を生成するステップ（25）；それぞれ対応する固有認証要素（8, 15, 19, 23）を恒久的に記憶するよう構成された複数のシール（6, 10, 16, 20）を設けるステップ（26）；複数の製品のうちの各製品につき，対応するシールを，該製品を収めた容器と不可逆的に関連付けるステップ（27）；製品と，これに対応するシール（6, 10, 16, 20）との間の関連性をデータベースに記憶させるステップ（28）；パッケージ製品が自由に使用可能となり，及び／又は売り出された後，固有認証要素を遠隔地から取得するステップ（30）；製品と，それぞれの固有認証要素との間の関連に基づいて，取得された固有認証要素を比較するステップ（31）；並びに，その比較により，取得された固有認証要素が，製品と，それぞれの固有認証要素との間の記憶された関連と一致する場合に，パッケージ製品の真正性の確認情報をユーザに送信するステップ（32）；を備える。【選択図】図１０
2017503286.tif 000002
【特許請求の範囲】
【請求項１】
容器（2, 2A）に収めたパッケージ製品を遠隔地から認証するための認証方法であって，該認証方法が：
・各パッケージ製品につき，所定のアルゴリズムに基づいて固有認証要素（8, 15, 19, 23）を生成するステップ（25）；
・それぞれ対応する固有認証要素（8, 15, 19, 23）を恒久的に記憶するよう構成された複数のシール（6, 10, 16, 20）を調達するステップ（26）；
・複数の製品のうちの各製品につき，対応するシールを，該製品を収めた容器と不可逆的に関連付けるステップ（27）；
・製品と，これに対応するシール（6, 10, 16, 20）との間の関連性をデータベースに記憶させるステップ（28）；
・前記パッケージ製品が自由に使用可能となり，及び／又は売り出された後，前記固有認証要素を遠隔地から取得するステップ（30）；
・製品と，それぞれの固有認証要素との間の関連性に基づいて，取得された固有認証要素を比較するステップ（31）；並びに，
・前記比較により，取得された固有認証要素が，製品と，それぞれの固有認証要素との間の記憶された関連性と合致する場合に，パッケージ製品の真正性の確認データをユーザに送信するステップ（32）；
を備える認証方法。
【請求項２】
容器に収めたパッケージ製品を遠隔地から認証するための，請求項１に記載の認証方法であって，前記固有認証要素を生成するアルゴリズムが暗号アルゴリズムである，認証方法。
【請求項３】
容器に収めたパッケージ製品を遠隔地から認証するための，請求項１に記載の認証方法であって，前記シールに記憶した前記固有認証要素は，前記パッケージ製品が自由に使用可能となり，及び／又は売り出されたときに，ユーザにより視認不能である，認証方法。
【請求項４】
容器に収めたパッケージ製品を遠隔地から認証するための，請求項１又は３に記載の認証方法であって，前記シール（6, 10, 16, 20）は，前記固有認証要素が印刷された支持体を備える，認証方法。
【請求項５】
容器に収めたパッケージ製品を遠隔地から認証するための，請求項１〜４の何れか一項に記載の認証方法であって，前記固有認証要素を取得するステップ（30）が，前記シール（6, 10, 16, 20）を開封するステップを備え，該シールは容器の開放と，該容器に収められた製品に対するアクセスを許容するために開封可能である，認証方法。
【請求項６】
容器に収めたパッケージ製品を遠隔地から認証するための，請求項１又は３に記載の認証方法であって，前記シール（6, 10, 16, 20）は，前記固有認証要素（8, 15, 19, 23）を記憶するＲＦＩＤ型の電子シールである，認証方法。
【請求項７】
容器に収めたパッケージ製品を遠隔地から認証するための，請求項１に記載の認証方法であって，前記製品は，該製品の製造業者／販売業者により提供されるものである，認証方法。
【請求項８】
容器に収めたパッケージ製品を遠隔地から認証するための，請求項１に記載の認証方法であって，前記遠隔地の地理的座標を取得するステップを備える，認証方法。
【請求項９】
容器に収めたパッケージ製品を遠隔地から認証するための，請求項１〜８の何れか一項に記載の認証方法であって，複数の製品のうちの各製品につき，所定のアルゴリズムに基づいて固有認証要素（8, 15, 19, 23）を生成する前記ステップ（25）を，前記製造業者とは異なる認証機関により実行する，認証方法。
【請求項１０】
容器に収めたパッケージ製品を遠隔地から認証するための，請求項８に記載の認証方法であって，製品と，これに対応するシールとの間の関連性をデータベースに記憶させるステップ，製品と，それぞれの固有認証要素との間の関連性に基づいて，取得された固有認証要素を比較する前記ステップ，並びに，前記遠隔地の地理的座標を取得する前記ステップを，前記製造業者とは異なる認証機関により実行する，認証方法。
【請求項１１】
容器に収めたパッケージ製品を遠隔地から認証するための認証システムであって：
・パッケージ製品の真正性を認識するため，使用又は消費目的で取り出すべく製品を通過可能とした通路を設けた容器内に配置され，かつ，その開封により前記通路の開口を許容するシール（6, 10, 16, 20）を含む装置；
・外部から視認できず，かつ，前記シール（6, 10, 16, 20）を開封して初めてアクセスできるシールの領域に配置され，所定のアルゴリズムによりそれぞれのパッケージ製品について固有のものとして生成される固有認証要素（8, 15, 19, 23）；並びに，
・所定のコンピュータプログラムをインストールしたモバイル端末（33）を備え；該コンピュータプログラムは，前記パッケージ製品が使用可能となり，及び／又は売り出されたときに次のステップ，即ち，
(a) 前記固有認証要素を遠隔地において取得するステップ，
(b) 前記固有認証要素をリモートサーバに送信するステップ，
(c) 前記固有認証要素と，取得した固有認証要素との比較結果を，認証機関から受領するステップ，並びに，
(d) ユーザに対し，前記モバイル端末（33）のディスプレーで表示可能なグラフィックインターフェースを介して，前記比較結果を通知するステップ，を遂行するプログラムである，
認証システム。
【請求項１２】
容器に収めたパッケージ製品を遠隔地から認証するための，請求項１１に記載の認証システムであって，前記モバイル端末（33）は，前記遠隔地の地理的座標を取得して前記リモートサーバに送信する，認証システム。
【請求項１３】
容器に収めたパッケージ製品を遠隔地から認証するための，請求項１１に記載の認証システムであって，前記モバイル端末（33）は，スマートフォン，タブレット，ノートパソコン，パソコン等よりなる群から選択されたものである，認証システム。
【請求項１４】
容器に収めたパッケージ製品を遠隔地から認証するための，請求項１１に記載の認証システムであって，前記リモートサーバは前記認証機関により維持され，かつ，前記製品と，対応するシールとの関連性を記憶するデータベースを備える，認証システム。
【請求項１５】
容器に収めたパッケージ製品を遠隔地から認証するための，請求項１１に記載の認証システムであって，前記アルゴリズムが暗号アルゴリズムである，認証システム。
【発明の詳細な説明】
【技術分野】
【０００１】
本発明は，パッケージ製品を遠隔地から認証するための，請求項１及び１１に記載した方法及びシステムを提供しようとするものである。
【０００２】
特に，本発明は，自由に使用し，及び／または販売に供しようとするパッケージ製品をユーザがモバイル端末を使用して遠隔地から認証できるようにするための方法及びシステムに関するものである。
【背景技術】
【０００３】
製品についての商標や名声を確立するため，企業，会社，個人，団体等が多額のコストを費やしていることは，既知である。場合により，特定の商標を付して販売しようとする製品の開発には，更なるコストが加算される。
【０００４】
成功を収めた商標は，企業，会社，個人，団体等にとって貴重な資産であり，かかる商標の適正かつ合法的な使用を監視することは多大な努力の中核的課題である。
【０００５】
このような努力にも拘らず，成功を収めた商標は，非倫理的な人物，例えば偽造品や盗品の製造者や販売者により不正使用され易い。
【０００６】
偽造品が真正製品として販売されると，商標所有者の信用や名声が損なわれるという，より深刻な結果を招くことも稀ではない。
【０００７】
このような問題に対処するため，商標所有者は違法行為を排除し，又は少なくとも軽減することを目的とする対策プログラム／デバイスの導入で偽造者と戦っている。
【０００８】
ある対策プログラム／デバイスは，短期間であれば非常に有効であるが，犯罪者の違法利益が多大であるためにプログラム／デバイスは打ち破られ，又は複製すらされてしまう。
【０００９】
例えば，現用されている方法においては，使用及び／又は販売を意図する製品を収めた容器，より一般的には製品パッケージにバーコードやホログラム等の識別コードを付し，これを読み取ることで製品，製造業者名及びその他の製品情報（例えば，製品が飲食品である場合の消費期限）を特定可能としている。
【００１０】
従来技術に係る識別コードは，通常は，適合する装置により検出し，かつ読み取ることのできる容器又はパッケージの領域に固定されており，また、読み出した情報は，主として，販売業者の倉庫内での移動を制御し，かつ，販売領収書やインボイスを作成するためのデータを出力するための使用を意図するものである。
【００１１】
しかしながら，容器又はパッケージ上における識別コードが可視性であることに基づき，識別コードは，コード化されていても複製され，偽造品や，真正製品に対応しない製品が収められる容器又はパッケージに違法付着される恐れがある。
【００１２】
即ち，従来技術において，製品の容器又はパッケージ上における可視領域に付される識別コードは，購入した製品の真正性を，換言すれば，製品と，製品の容器又はパッケージ上で宣明されている名称又は出所との対応関係を補償することができないものである。
【発明の概要】
【００１３】
本発明の課題は，従来技術における上述した問題点を解消することのできる方法及びシステムを提供することである。
【００１４】
本発明の一実施形態によれば，既知の方法及びシステムとは異なり，ユーザ（又はパッケージ製品の使用者／購入者）と製品の製造業者／販売業者の双方にとって，容易に使用し，かつ，低コストでアクセスすることのできる方法及びシステムが実現される。
【００１５】
本発明によれば，ユーザ（即ち，パッケージ製品の使用者／購入者）がパッケージ製品の真正性をリアルタイムで確認できる方法及びシステムが実現される。
【００１６】
更に，本発明に係る方法及び装置によれば，認証の行われる遠隔地が地理情報的に特定可能である。
【００１７】
最後に，本発明に係る方法及び装置によれば，リバースエンジニアリングによる攻撃に対して，特にパッケージ又は製品の部分の健全性について規定するISO規格12931:2012に則った抵抗力を保証することが可能である。 
【図面の簡単な説明】
【００１８】
【図１】図１は，パッケージ製品を遠隔地から認証するための本発明に係る認証方法のフローチャートである。
【図２】図２は，開口部上のシールが閉封位置にあり，製品の認証要素がシールの背面上に配置されたボックス状のパッケージを示す斜視図である。
【図３】図３は，シールを開封した状態における図２のパッケージの斜視図である。
【図４】図４は，シールとして作用するカバーカプセルが閉封位置にあり，認証要素がキャップの視認可能な端部に対面するカプセルの内面上に配置されたボトルネック端部領域を示す斜視図である。
【図５】図５は，ボトルを密閉するためのキャップにおけるカプセルを開放した状態で図４のボトルネック端部領域を示す斜視図である。
【図６】図６は，シールとして作用する閉鎖キャップが閉封位置にあり，その開封を容易とするための裂開手段が設けられ，認証要素がカプセルにおける管状部の背面上に配置されたボトルネック端部領域を示す斜視図である。
【図７】シールとして作用するカバーカプセルが閉封位置にある状態でボトルネック端部領域を示す，図６と同様な斜視図である。
【図８】図８は，シールとして作用するカバーカプセルが閉封位置にあり，その開封を容易とするための裂開手段が設けられ，認証要素がカプセルにおける開封タブの背面上に配置されたボトルネック端部領域を示す斜視図である。
【図９】図９は，図８のカプセルの開封操作を認証要素のディスプレーと共に示す斜視図である。
【図１０】図１０は，図９の認証要素を，モバイル端末で読み出す操作を示す斜視図である。
【図１１】図１１は，シールとして作用するカバーカプセルが閉封位置にあり，その開封を容易とするための裂開手段が設けられ，認証要素がカプセルにおける開封タブの背面上に配置されたボトルネック端部領域を示す斜視図である。
【発明を実施するための形態】
【００１９】
以下，本発明の特徴及び利点を，添付図面に示す非限定的な実施形態について更に詳述する。
【００２０】
本明細書で特定の実施形態について開示する個別的な特徴は，明示的に開示されていなくとも，他の実施形態について開示する他の特徴に対して付加的又は互換的なものである。
【００２１】
本発明の範囲内において，「容器」とは，購入者による使用又は消費を意図して自由に使用可能となるか，あるいは売り出される製品を収める一般的なボックスや，ワイン，リカー又は他の任意の液体（飲食用であると否とを問わず）を充填するボトルを指す。
【００２２】
言うまでもなく，製品は製造業者／販売業者により得られ，即ち直接的に提供されるものである。
【００２３】
図２及び図３は，一般的かつ慣用的なボックス状パッケージ１を示す。パッケージ１は，容器としての機能を有する部分２と，パッケージに収める製品（図示せず）を導入し，又は取出すために容器１内にアクセスする場合に開口部を開閉するカバーとしての機能を有する部分３とを備える。
【００２４】
パッケージの壁には，外部から視認できる領域に通常のバーコード又はホログラムが配置されている。このバーコード又はホログラムは，例えば販売や領収書発行に際して慣用的な製品特定操作により読み取り可能である。
【００２５】
パッケージには，慣用的な方法でカバー３と容器２との間に固定され，開口部を閉鎖状態に維持することにより製品の完全性を保証する機能を有するシール６も設けられている。
【００２６】
本発明において，シール６は，パッケージに対面する表面７に設けられている。従って，シール６は，パッケージ上に設けられた製品の認証要素８と一体であるときに，アクセスすることができず，外部から視認することもできない。
【００２７】
図４及び図５は，高級飲料を収めるボトル2Aに適用される本発明の一実施形態を示す。この実施形態においては，ボトルのネック部９が，シールとして機能するカプセル10でカバーされている。
【００２８】
カプセル10は，通常のキャップ13で閉じられるネック部の端部領域12上で延在する部分12と，ネック部を包囲しつつ軸線方向に延在する部分14とを備える。
【００２９】
周知のとおり，カプセル10は，その一般的な実施形態において，ポリ塩化ビニール（PVC），ポリラミネート，スズ，アルミニウム又はポリエチレンテレフタレート（PET）から構成することができる。カプセル10は，ボトルのネック部９上に配置した後にネック部９に接着することにより，キャップをカバーすると共にシール機能を発現する。本発明の一実施形態において，カプセル10には，図３及び図４に示すように，キャップ13に対面する閉鎖部11の内面上に配置された認証要素15が設けられている。
【００３０】
本発明の第１実施形態において，カプセル10には，図４及び図５に示すように，キャップ13に対面する閉鎖部11の内面上に配置された認証要素15が設けられている。
【００３１】
特に，ボトルを開栓する場合，キャップ13の引き抜きに先立ってカプセル10の管状部14から少なくとも部分的に取り外すと，認証要素15に対するアクセス及び視認が可能となり，認証要素15が読み取り可能となる。
【００３２】
図７に示す他の実施形態において，カプセル16は，開封を容易とするタブを構成する軸線方向領域17が設けられている。タブ17の端部は，カプセル16を把持して容易に裂開・除去可能とするものである。
【００３３】
特に，図７に示すように，軸線方向領域17は，ボトル2Aにおけるネック部９に沿って軸線方向に，そして周方向に連続的に延在するものである。
【００３４】
図７に更に示すように，カプセル16がボトルのネック部上に配置されている状態では外部から視認できない管状内面16aには，認証要素19が配置されている。従って，認証要素19は，ボトルのシールを構成するカプセル16を開封した後に初めて読み取り可能となるものである。
【００３５】
本発明に係るカプセルの他の実施形態を，図８及び図９に示す。
【００３６】
ボトルのネック部９上に配置されるカプセル20には，タブで構成される容易開封部が設けられている。このタブは，ユーザが把持して開封するための端部22を有する。
【００３７】
本実施形態において，タブ22の内面には，外部から視認できない認証要素23が設けられている。
【００３８】
特に，容易開封部が設けられた領域21は，ボトル2Aにおけるネック部９の長手方向に，即ちボトルのネック部の中心軸線に対して平行に延在する。
【００３９】
本発明に係るカプセルの他の実施形態を，図１１に示す。
【００４０】
本実施形態においても，ボトルのネック部９上に配置されるカプセル20には，タブで構成される容易開封部が設けられている。このタブは，ユーザが把持して開封するための端部22を有する。
【００４１】
本実施形態において，タブ22の内面，即ちキャップ13と対面する表面部分に，外部から視認できない認証要素23が設けられている。
【００４２】
特に，容易開封部が設けられた領域21は，ボトル2Aにおけるネック部９の周方向に延在する。
【００４３】
他の実施形態において，固有認証要素8, 15, 19, 23をタブ上とカプセルの領域内の双方に同時に配置して，一方の認証要素が損傷し，又は読み取れない場合でもデータの読み取りを保証することができる。
【００４４】
次に，パッケージ2, 2Aに収めた製品を認証可能とするための本発明に係る認証方法24を，図１のフローチャートを参照して説明する。
【００４５】
特に，本発明に係る方法24は，容器2, 2Aに収めた製品を，ユーザが遠隔地から認証可能とするものである。
【００４６】
本発明に係る方法24は，容器2, 2Aに収めた各パッケージ製品につき，所定のアルゴリズムに基づいて固有認証要素8, 15, 19, 23を生成するステップ25を備える。
【００４７】
このアルゴリズムは，好適には，異なる英数字のデータスレッド，例えば，製造業者／販売業者等により常用される製品特定コードから出発して固有認証要素を生成するよう構成されている。
【００４８】
このような固有認証要素8, 15, 19, 23は，sha-1，sha-2，md5等のハッシュ関数に係る暗号化プロトコルに基づいて暗号化しておくことができる。この暗号化により，固有認証要素8, 15, 19, 23を，統計学的に確実な態様で固有のものとし，リバースエンジニアリングからの防御を保証することができる。
【００４９】
所定のアルゴリズムに基づいて固有認証要素8, 15, 19, 23を生成するための，例えば暗号化を伴うステップ25は，製品の製造業者／販売業者とは異なる認証機関において実行する。
【００５０】
本発明に係る方法24は，それぞれの固有認証要素8, 15, 19, 23を恒久的に記憶するよう構成された複数のシール6, 10, 16, 20を調達するステップを備える。
【００５１】
例えば，固有認証要素8, 15, 19, 23を恒久的に記憶するステップは，シール6, 10, 16, 20が紙媒体又はボトル用カプセルである場合には，そのような固有認証要素8, 15, 19, 23をプリント操作等でシール上に転送し，あるいは固有認証要素をＲＦＩＤチップにおけるメモリー部に記憶させることよりなる。
【００５２】
本発明に係る方法24は，各製品につき，対応するシールを，該製品を収めた容器と不可逆的に関連付けるステップ27を備える。
【００５３】
これにより，固有認証要素8, 15, 19, 23が転送されたシール6, 10, 16, 20が，製品を収める容器に対して関連付けられる。
【００５４】
シール6, 10, 16, 20を，製品を収める容器に対して関連付ける方法は，当業者にとって既知であるため，記載は省略する。
【００５５】
本発明に係る方法24は，製品と，これに対応するシール6, 10, 16, 20との間の関連性をデータベースに記憶させるステップ28を備える。特に，適切なデータベースに各製品についての特定の関連性を記憶させるために，製造業者／販売業者が本発明に係る方法の適用を望むようにすべきである。比較ステップ31は認証機関が実行するものであるが，記憶ステップ26と同じことが当てはまる。これにより，認証要素8, 15, 19, 23は，認証機関のみが知るところであって製造業者／販売業者には未知であり，従って，認証要素8, 15, 19, 23は，認証する機関以外の何人にとっても実際に秘密状態に保たれる。
【００５６】
本発明に係る方法24は，パッケージ製品が自由に使用可能となり，及び／又は売り出された後，固有認証要素8, 15, 19, 23を遠隔地から取得するステップ30を備える。
【００５７】
ここに「遠隔地」とは，パッケージ製品の使用又は売り出しが行われる物理的な場所を指す。
【００５８】
そのような目的のため，認証要素８は，シール６を開封し，認証要素を含むシールの部分を図３及び図７に示すように持ち上げてアクセス可能とした後に初めて読み取ることができる。
【００５９】
特に，シール6, 10, 16, 20と容器2, 2Aとの関連づけステップは，ISO 12931 :2012規格に即して真正性を承認可能とするために，容器又は製品の一部の健全性を損なうことを至上命題とするものである。
【００６０】
本発明に係る方法24は，製品と，データベースに記憶されているそれぞれの固有認証要素8, 15, 19, 23との間の関連性に基づいて，取得された固有認証要素を比較するステップ31を備え，更に，その比較により，取得された固有認証要素が，製品と，それぞれの生成された固有認証要素との間の記憶された関連性と合致する場合に，パッケージ製品の真正性についての確認データをユーザにリアルタイムで送信するステップ32を備える。
【００６１】
逆に，製品と，データベースに記憶されているそれぞれの固有認証要素8, 15, 19, 23との間の関連性に基づいて，取得された固有認証要素を比較したとき（ステップ31）に，取得された固有認証要素が，製品と，それぞれの固有認証要素との間の記憶された関連性と合致しない場合には，ステップ32において，パッケージ製品の非真正性についての確認データをユーザにリアルタイムで送信する。
【００６２】
ステップ32においては，ステック31における比較の結果，取得された固有認証要素8, 15, 19, 23が以前に読み取られたものであることが判明した場合，ユーザにその旨も通知する。これは，同一の製品について２つの固有認証要素8, 15, 19, 23が関連付けられないことに基づいて，製品の真正性についての更なる保証となるものである。
【００６３】
固有認証要素についての取得ステップ30，比較ステップ31及び比較結果のユーザに対する通知ステップ32を実行するために，図１０に例示するように，固有認証要素8, 15, 19, 23を読み取ってリモートサーバに送信可能とするコンピュータプログラムがインストールされたモバイル端末33を使用することができる。
【００６４】
このモバイル端末33は，特に，パッケージ製品が自由に使用可能となり，及び／又は売り出されたときに，以下の認証プロセスが実行されるよう構成されている。
・固有認証要素8, 15, 19, 23を，自由に使用可能となり，及び／又は売り出された遠隔地から取得する。
・取得した固有認証要素8, 15, 19, 23をリモートサーバに送信する。
・リモートサーバから，データベースに記憶されている固有認証要素と，取得した固有認証要素8, 15, 19, 23との比較結果を送信する。
・ユーザに，モバイル端末33のディスプレーで見ることのできるグラフィックインターフェースを介して比較結果を通知する。
【００６５】
換言すれば，モバイル端末33のメモリーにインストールされているコンピュータプログラムは，固有認証要素8, 15, 19, 23が認証機関によって生成されたものか否かを検証する。
【００６６】
これが生じた場合，リモートサーバは，当該固有認証要素8, 15, 19, 23が他のユーザにより既に使用されたものであるか否かを検証する。既使用であれば詳細情報を返信し，未使用であれば公的認証の応答を返信する。
【００６７】
更に，モバイル端末33は，遠隔地の地理的座標を取得し，かつ，これをリモートサーバに送信する。
【００６８】
このような地理的座標は，例えば，製品の販売及び購入位置を追跡するために使用される。
【００６９】
固有認証要素8, 15, 19, 23及び／又は遠隔地の地理的座標のリモートサーバに対する伝送や，比較結果のモバイル端末33に対する送信は，例えば，モバイル型又は有線型の電話通信網により実行する。
【００７０】
リモートサーバは，認証機関によって維持されるものであり，製品と，それぞれのシールとの間の関連性が記憶されているデータベースを備える。
【００７１】
好適な実施形態において，モバイル端末33は，スマートフォン，タブレット，ノートパソコン，パソコン等よりなる群から選択される。
【００７２】
容器に収めたパッケージ製品を遠隔地から認証するための，認証方法及び認証システムの上述した実施形態は，必要に応じて当業者が適宜の変更を加えることができるものであり，そのような変更実施形態は，いずれも本発明の技術的範囲に含まれるものである。
【図１】
2017503286.tif 000003
【図２】
2017503286.tif 000004
【図３】
2017503286.tif 000005
【図４】
2017503286.tif 000006
【図５】
2017503286.tif 000007
【図６】
2017503286.tif 000008
【図７】
2017503286.tif 000009
【図８】
2017503286.tif 000010
【図９】
2017503286.tif 000011
【図１０】
2017503286.tif 000012
【図１１】
2017503286.tif 000013
【国際調査報告】
2017503286.tif 000014
2017503286.tif 000015